(57)【要約】【課題】  装飾部や記入欄を広く確保することができるボタンを提供する。【解決手段】  固定用糸が挿通され、貫通して設けられた孔部１１を有するボタン１０であって、一方面部１２には孔部１１の複数の開口部１３、１３が設けられると共に、他方面部１４には孔部１１の単一の開口部１５が設けられている。【選択図】  図１
0003207190.tif 000002
【実用新案登録請求の範囲】
【請求項１】
固定用糸が挿通され、貫通して設けられた孔部を有するボタンであって、一方面部には前記孔部の複数の開口部が設けられると共に、他方面部には前記孔部の単一の開口部が設けられていることを特徴とするボタン。
【請求項２】
前記ボタンは薄型円盤状に形成され、前記一方面部は表面部であると共に、前記他方面部は裏面部であり、前記孔部は前記裏面部に設けられた前記単一の開口部から分岐して前記表面部の前記複数の開口部へ至るように形成されていることを特徴とする請求項１記載のボタン。
【請求項３】
前記複数の開口部は二つの開口部として形成されていることを特徴とする請求項２記載のボタン。
【請求項４】
前記裏面部には、前記裏面部と他のボタンの裏面部とを隣接させることにより複数のボタンを重ねあわせた場合に前記複数のボタンを互いに連結固定しうる係合部が形成されていることを特徴とする請求項２記載のボタン。
【請求項５】
前記裏面部には、装飾部が設けられていることを特徴とする請求項２記載のボタン。
【請求項６】
前記裏面部には、身元情報を記入する記入欄が設けられていることを特徴とする請求項２記載のボタン。
【考案の詳細な説明】
【技術分野】
【０００１】
本考案は、衣服等に装着されるボタンの改良に関するものである。
【背景技術】
【０００２】
従来より、衣服等に装着して使用するボタンは、２つ穴、３つ穴、４つ穴、若しくは穴なし（足つき）のものが知られている。ボタンを衣服に対して固定する際には、ボタンの穴に糸を挿通させ衣服に縫い付けることによって固定する。
【０００３】
ところで、ボタンに文字、図柄等の装飾部を設ける場合には、前記ボタンの穴は少ない方がボタン表面側及び裏面側に装飾部を広く確保することができる。
しかし、円盤状に形成されたボタンにあっては、糸によって衣服へ取り付けるために最低でも２つ穴が必要であり、ボタンの大きさに対する装飾部の割合を大きく確保することが難しいという不具合があった。
また、穴なし（足つき）のボタンは、例えば、ボタン裏面側に半リング状に形成された取付穴部が設けられているため、表面側全体に装飾部を確保することができる一方で、裏面側にあってはボタンの大きさに対する装飾部の割合を十分に確保することが難しいという不具合があった。
【０００４】
本件実用新案登録出願人は、過去に衣服などに装着されるボタンであって、ボタン本体の裏面側には身元情報の種類を示す情報種類表示部と身元情報を記入する記入欄とを設けたボタンを出願している（特許文献１）。このようなボタンにあっては、身元情報の流出を避ける等の観点から、表面側ではなく裏面側に身元情報を表示する必要があるため、裏面側に身元情報を記入する記入欄をボタンの大きさに対して十分に確保するということが求められていた。
本件実用新案登録出願人は、このような観点から先行技術調査を行ったが、前記要請を満たす技術を発見できなかった。
【先行技術文献】
【特許文献】
【０００５】
【特許文献１】実用新案登録第３１９４６９２号公報
【考案の概要】
【考案が解決しようとする課題】
【０００６】
本考案は、以上のような従来からの不具合を解消するためのものであって、その課題は、装飾部や記入欄を広く確保することができるボタンを提供することにある。
【課題を解決するための手段】
【０００７】
前記課題を解決するために、請求項１に記載の考案にあっては、固定用糸が挿通され、貫通して設けられた孔部を有するボタンであって、一方面部には前記孔部の複数の開口部が設けられると共に、他方面部には前記孔部の単一の開口部が設けられていることを特徴とする。
【０００８】
従って、前記一方面部には前記孔部の複数の開口部が設けられる一方で、前記他方面部には前記孔部の単一の開口部が設けられ、前記一方面部及び前記他方面部に設けられた前記開口部を介して前記孔部に前記固定用糸が挿通される。
【０００９】
請求項２に記載の考案にあっては、前記ボタンは薄型円盤状に形成され、前記一方面部は表面部であると共に、前記他方面部は裏面部であり、前記孔部は前記裏面部に設けられた前記単一の開口部から分岐して前記表面部の前記複数の開口部へ至るように形成されていることを特徴とする。
【００１０】
従って、前記複数の開口部は前記表面部に設けられると共に、前記単一の開口部は前記裏面部に設けられ、前記孔部は前記裏面部に設けられた前記単一の開口部から分岐して前記表面部の前記複数の開口部へ至るように形成される。
【００１１】
請求項３に記載の考案にあっては、前記複数の開口部は二つの開口部として形成されていることを特徴とする。
従って、前記孔部は前記裏面部に設けられた前記単一の開口部から分岐して前記表面部の前記二つの開口部へ至るように形成される。
【００１２】
請求項４に記載の考案にあっては、前記裏面部には、前記裏面部と他のボタンの裏面部とを隣接させることにより複数のボタンを重ねあわせた場合に前記複数のボタンを互いに連結固定しうる係合部が形成されていることを特徴とする。
【００１３】
従って、前記複数のボタンの裏面部を互いに隣接させることにより前記複数のボタンを重ね合わせた場合には、前記係合部によって前記複数のボタンが互いに連結固定される。
【００１４】
請求項５に記載の考案にあっては、前記裏面部には、装飾部が設けられていることを特徴とする。
【００１５】
請求項６に記載の考案にあっては、前記裏面部には、身元情報を記入する記入欄が設けられていることを特徴とする。
ここで身元情報とは、氏名、住所、電話番号等の個人情報を意味する。従って、前記裏面部には、前記記入欄に身元情報が記入することができる。
【考案の効果】
【００１６】
請求項１〜６に記載のボタンにあっては、前記一方面部には前記孔部の複数の開口部が設けられる一方で、前記他方面部には前記孔部の単一の開口部が設けられ、前記一方面部及び前記他方面部に設けられた前記開口部を介して前記孔部に前記固定用糸が挿通されるので、前記他方面部に設けられた開口部が単一であっても、前記ボタンを前記一方面部に設けられた前記複数の開口部を介して衣服等に固定することができ、その結果、前記他方面部に装飾部や記入欄を設けた場合には、装飾部や記入欄を広く確保することができるボタンを提供することができる。
【００１７】
特に、請求項２及び３に記載のボタンにあっては、前記複数の開口部は前記表面部に設けられると共に、前記単一の開口部は前記裏面部に設けられ、前記孔部は前記裏面部に設けられた前記単一の開口部から分岐して前記表面部の前記複数の開口部へ至るように形成されるので、前記裏面部に設けられた開口部が単一であっても、前記ボタンを前記表面部に設けられた前記複数の開口部を介して衣服等に固定することができ、その結果、身元情報の流出を避ける等の観点から、前記裏面部に装飾部や記入欄を設けた場合には、装飾部や記入欄を広く確保することができるボタンを提供することができる。
【００１８】
請求項４に記載のボタンにあっては、前記複数のボタンの裏面部を互いに隣接させることにより前記複数のボタンを重ね合わせた場合には、前記係合部によって前記複数のボタンが互いに連結固定されるので、前記複数のボタンの裏面部が互いに被覆された状態で使用することができる。
その結果、前記複数のボタンの前記裏面部に記入欄を設けた場合には、前記記入欄に記入した内容が前記各ボタンの裏面部によって互いに被覆されるので、前記記入欄に身元情報等を記入した場合には、身元情報等が流出するといった事態を確実に防止することができる。
【００１９】
請求項５に記載のボタンにあっては、前記裏面部には、装飾部が設けられているので、前記装飾部を広く確保することができるボタンを提供することができる。
【００２０】
請求項６に記載のボタンにあっては、前記裏面部には、前記記入欄に身元情報が記入できるので、前記ボタンの前記裏面部に装着者の身元情報を表示することができる。従って、前記ボタンの装着者を知らない第三者であっても、前記裏面部を確認することにより、前記装着者の身元を確認することができる。
その結果、装着者の保護が必要な場合に、連絡を取ったり、身柄を届けたりすることができる。
【図面の簡単な説明】
【００２１】
【図１】図１（ａ）は、本考案に係るボタンの一実施の形態において、表面部側から見た側面図、（ｂ）は裏面部側から見た側面図である。
【図２】図２は、本考案に係るボタンの一実施の形態において、（ａ）は図１のII−II線相当断面図、（ｂ）は二つのボタンを連結固定した状態を示す図１のII−II線相当断面図である。
【考案を実施するための形態】
【００２２】
以下、添付図面に示す実施の形態に基づき、本考案を詳細に説明する。
図１及び図２に示すように、本考案の一実施の形態に係るボタン１０は、全体合成樹脂製の薄型円盤状に形成され、固定用糸（図示せず）が挿通され、貫通して設けられた孔部１１を有している。
図１及び図２に示すように、本実施の形態に係るボタン１０の表面部（一方面部）１２には孔部１１の二つの開口部１３、１３が設けられると共に、裏面部（他方面部）１４には孔部１１の単一の開口部１５が設けられている。図１に示すように、開口部１３、１３は円形状であって、ボタン１０の径方向に沿って所定間隔寸法離間して設けられている。また、開口部１５は開口部１３と同一の径寸法を有する円形状であって、ボタン１０の裏面部１４の中央に設けられている。
図２に示すように、本実施の形態に係る孔部１１は、裏面部１４に設けられた単一の開口部１５から分岐して表面部１２の二つの開口部１３、１３へ至るように孔部１１ａ及び１１ｂが形成されている。
【００２３】
また、図１及び図２に示すように、本実施の形態に係る裏面部１４には、裏面部１４と他のボタン４０の裏面部４１とを隣接させることにより二つのボタン１０、４０を重ねあわせた場合に二つのボタン１０、４０を互いに連結固定しうる係合部１６が形成されている。他のボタン４０の裏面部４１においても同様に係合部４２が形成されている。
図１及び図２に示すように、本実施の形態に係る係合部１６は、裏面部１４の面上に突設された略円柱状の係合凸部１７と、裏面部１４の面上から厚さ方向内方に向かって略円柱状に凹設された係合凹部１８とにより構成され、係合凸部１７及び係合凹部１８は、夫々、開口部１５からボタン１０の径方向に沿って所定間隔寸法離間して形成されている。また、係合凹部１８の内径寸法及び深さ寸法は係合凸部１７の直径寸法及び高さ寸法と夫々略同一に形成されている。
図２（ｂ）に示すように、本実施の形態に係る他のボタン４０の係合部４２においても同様に、係合部４２は係合凸部４３と係合凹部４４とにより構成され、係合凸部４３は係合凸部１７と、係合凹部４４は係合凹部１８と、夫々、同一の構成を有している。
その結果、図２（ｂ）に示すように、裏面部１４と他のボタン４０の裏面部４１とを隣接させることにより二つのボタン１０、４０を重ねあわせた場合には、係合凸部１７及び係合凹部４４、係合凸部４３及び係合凹部１８が、夫々、係合し、二つのボタン１０、４０を互いに連結固定するように構成されている。
【００２４】
図１（ｂ）に示すように、本実施の形態に係る裏面部１４には、身元情報を記入する記入欄１９が設けられている。本実施の形態においては、記入欄１９に記入する内容を示す情報内容表示部２０、２１が設けられている。
図１（ｂ）に示すように、本実施の形態に係る情報内容表示部２０は、氏名を示す「ＮＡＭＥ」、情報内容表示部２１は、住所を表す「ＡＤＤＲＥＳＳ」と表記されている。
また、図１（ｂ）に示すように、本実施の形態に係る記入欄１９には、装着者の氏名２２である「○×○×」と、装着者の住所２３である「○−○−××」とが記入されている。
【００２５】
以下、本実施の形態に係るボタン１０の作用について、添付図面を用いて説明する。
図１に示すように、本実施の形態に係るボタン１０にあっては、表面部１２には孔部１１の二つの開口部１３、１３が設けられている一方で、裏面部１４には孔部１１の単一の開口部１５が設けられ、図２（ａ）に示すように、孔部１１は、裏面部１４に設けられた単一の開口部１５から分岐して表面部１２の二つの開口部１３、１３へ至るように孔部１１ａ及び１１ｂが形成されている。
従って、表面部１２及び裏面部１４に設けられた開口部１３、１３、１５を介して孔部１１に固定用糸（図示せず）が挿通されることから、裏面部１４に設けられた開口部１５が単一であっても、ボタン１０を表面部１２に設けられた二つの開口部１３、１３を介して衣服等に固定することができ、その結果、裏面部１４に設けられた記入欄１９を広く確保することができるボタンを提供することができる。
特に、図２（ａ）に示すように、孔部１１は、単一の開口部１５から分岐して、所定間隔寸法離間した開口部１３、１３へ至るように孔部１１ａ及び１１ｂが形成されているので、固定用糸（図示せず）を孔部１１ａ及び１１ｂを介して、衣服類により強固に固定することができる。
【００２６】
特に、図１（ｂ）に示すように、本実施の形態に係る裏面部１４には、記入欄１９に身元情報が記入できるので、ボタン１０の裏面部１４に装着者の身元情報を表示することができる。従って、ボタン１０の装着者を知らない第三者であっても、裏面部１４を確認することにより、装着者の身元を確認することができる。その結果、装着者の保護が必要な場合に、連絡を取ったり、身柄を届けたりすることができる。
またさらに、図１（ｂ）に示すように、本実施の形態に係るボタン１０にあっては、記入欄１９が裏面部１４に設けられているので、身元情報等の流出を避けることができる。
【００２７】
また、図２（ｂ）に示すように、本実施の形態に係るボタン１０、４０にあっては、ボタン１０の裏面部１４とボタン４０の裏面部４１とを互いに隣接させることにより二つのボタン１０、４０を重ね合わせた場合には、係合凸部１７及び係合凹部４４、係合凸部４３及び係合凹部１８が、夫々、係合し、二つのボタン１０、４０を互いに連結固定されるので、二つのボタン１０、４０の裏面部１４、４１が互いに被覆された状態で使用することができる。
その結果、裏面部１４、４１に設けられた記入欄１９に記入された内容が裏面部４１、１４によって互いに被覆されるので、記入欄１９に記入された身元情報等が流出するといった事態を確実に防止することができる。
【００２８】
本実施の形態に係る裏面部１４には、裏面部１４と他のボタン４０の裏面部４１とを隣接させることにより二つのボタン１０、４０を重ねあわせた場合に二つのボタン１０、４０を互いに連結固定しうる係合部１６が形成されている場合を例に説明したが、前記構成に限定されない。
【００２９】
本実施の形態に係る裏面部１４には、身元情報を記入する記入欄１９が設けられている場合を例に説明したが、前記構成に限定されず、裏面部１４に装飾部が設けられていてもよい。
また、表面部１２に装飾部を設け、「このボタンには身元情報が記入されている」ことを暗示する旨の装飾を施すことにより、このボタンの使用方法を表すこともできる。
【産業上の利用可能性】
【００３０】
本考案は、ボタンに広く適用可能であり、産業上利用可能性を有している。
【符号の説明】
【００３１】
１０、４０：ボタン
１１：孔部
１２：表面部（一方面部）
１３、１５：開口部
１４、４１：裏面部（他方面部）
１６、４２：係合部
１７、４３：係合凸部
１８、４４：係合凹部
１９：記入欄
２０、２１：情報内容表示部
２２：氏名
２３：住所
【図１】
0003207190.tif 000003
【図２】
0003207190.tif 000004